(57)【特許請求の範囲】
【請求項１】
自然排水に用いられる可撓性を備えた排水管であって壁の裏側に配管されて前記壁に設けられた貫通孔から引き出される管を、前記貫通孔に対して固定すべく、前記貫通孔に取り付けられる排水管固定具であって、
前記排水管が通る通孔を有して前記貫通孔を塞ぐ閉塞部材を備え、かつ、
前記壁の裏側において前記排水管が緊張するように、前記排水管をその排水管に沿う、前記壁の表側を向く一方の方向へ引っ張り操作することによる、その一方の方向への前記排水管の移動を許容するとともに、その移動後に前記排水管の戻りを阻止する、規制部材を備えることを特徴とする排水管固定具。
【請求項２】
前記壁は、ユニットバスの壁からなり、
前記排水管は、前記自然排水の上流側が、前記ユニットバスの外側に装備してある付設装置に接続され、その付設装置において生じた不用水を前記貫通孔を通って前記壁の表側となる前記ユニットバスの内側に排水するための管であることを特徴とする、請求項１に記載の排水管固定具。
【請求項３】
前記規制部材は、前記排水管の外周面に向かうに連れて前記一方の方向に進むように傾斜して前記排水管の外周面に係合する突刺片を有して、前記一方の方向への前記排水管の移動を許容するとともに、その移動後に前記排水管の戻りを阻止することを特徴とする、請求項１または２に記載の排水管固定具。
【請求項４】
前記規制部材は、前記閉塞部材とは別体で構成され、前記排水管の外周面を圧接するようにして前記排水管に取り付け固定される圧接具からなり、
前記閉塞部材には、前記圧接具が前記排水管とともに前記一方の方向とは反対の他方の方向に移動するのを防止するよう前記圧接具と対向する移動防止部が設けられて、
前記圧接具が前記排水管に固定されない状態で、前記一方の方向への前記排水管の移動を許容するとともに、その移動後に前記圧接具が前記移動防止部と対向するように前記排水管に取り付け固定されて前記排水管の戻りを阻止することを特徴とする、請求項１または２に記載の排水管固定具。
【請求項５】
前記閉塞部材には、前記排水管に取り付け固定された前記圧接具が前記排水管とともに前記一方の方向に移動するのを防止するよう前記圧接具と対向する他の移動防止部が設けられることを特徴とする、請求項４に記載の排水管固定具。
【請求項６】
少なくとも前記壁の裏側に配備されるボックス体を備え、
前記ボックス体は、前記壁の裏側にて前記排水管が引き込まれる引込口を備え、
前記引込口には、前記排水管が挿入されるところの鞘管が接続される鞘管接続部が設けられることを特徴とする、請求項１ないし５のいずれか１項に記載の排水管固定具。
【請求項７】
前記閉塞部材には、その閉塞部材を前記壁の表側から覆うように化粧カバーが着脱可能に取り付けられることを特徴とする、請求項１ないし６のいずれか１項に記載の排水管固定具。
【請求項８】
一部または全部が横引き配管されて自然排水に用いられる可撓性を備えた管体の横引き配管部の勾配不良を矯正するための、排水配管構造であって、
前記管体における、前記横引き配管部の一方の端部、または、前記横引き配管部の一方の端部からその横引き配管部側とは反対の、前記管体の端部までの部分に、
前記管体の少なくとも前記横引き配管部が緊張するように前記管体をその管体に沿う一方の方向へ引っ張り操作することによる、その一方の方向への前記管体の移動を許容するとともに、その移動後に前記管体の戻りを阻止する、規制部材を備えることを特徴とする排水配管構造。
【請求項９】
一部または全部が横引き配管されて自然排水に用いられる可撓性を備えた管体の横引き配管部の勾配不良を矯正するための、排水配管構造であって、
前記管体は、前記横引き配管部を有するよう一部または全部が横引き配管された鞘管内に配管されて、前記自然排水の下流側が前記鞘管から引き出され、
その引き出される部分またはその引き出される部分よりも先の部分に、前記管体の少なくとも前記横引き配管部が緊張するように前記管体をその管体に沿う一方の方向へ引っ張り操作することによる、その一方の方向への前記管体の移動を許容するとともに、その移動後に前記管体の戻りを阻止する、規制部材を備えることを特徴とする排水配管構造。
【請求項１０】
一部または全部が横引き配管されて自然排水に用いられる可撓性を備えた管体の横引き配管部の勾配不良を矯正するための、排水配管構造であって、
前記管体は、建造物もしくは構造物の壁の裏側に前記横引き配管部を有するよう配管されて、前記自然排水の下流側が前記壁に設けられた貫通孔から引き出され、
その引き出される部分に、前記管体の少なくとも前記横引き配管部が緊張するように前記管体をその管体に沿う一方の方向へ引っ張り操作することによる、その一方の方向への前記管体の移動を許容するとともに、その移動後に前記管体の戻りを阻止する、規制部材を備えることを特徴とする排水配管構造。
【発明の詳細な説明】
【技術分野】
【０００１】
この発明は、自然排水のための排水管固定具および排水配管構造に関するものである。
【背景技術】
【０００２】
従来、ユニットバス内をサウナ空間とすることができるサウナ装置があった（例えば、特許文献１参照）。図１８に示すように、このサウナ装置５１は、ユニットバス５０の天井部に設置されるものであって、給湯配管５２から加湿温水供給経路５３を介して供給された加湿温水が天井のノズル５４から霧状に噴出されることで、ユニットバス５０内を加湿するようになっていた。そして、給湯配管５２と加湿水供給経路５３との間には、三方弁５５が備えられ、その三方弁５５には、サウナ装置５１外部に不用な水を排水するための排水管５６が接続された。この排水管５６は、ユニットバス５０の壁裏に沿って下方へ配設されて、壁５７を貫通することで、浴槽５８下部のドレンパン５９に、排水を流していた。ここにおいて、排水管５６における壁５７の貫通部には、ユニットバス５０内の水蒸気を外に漏らさないように管接続部材６０が取り付けられた。
【０００３】
【特許文献１】特開２００５−１５２１９７号公報
【発明の開示】
【発明が解決しようとする課題】
【０００４】
ところで、前記従来のサウナ装置５１に接続される排水管５６にあっては、その排水管５６を横引き配管する部分には排水勾配が必要であった。
【０００５】
これに対して、可撓性を備えた架橋ポリエチレン管やポリブデン管等の排水管５６を用いて排水を行うと、巻き癖があったり、ユニットバス５０の外側に沿って配管した際には排水管５６を直接ユニットバス５０に固定できないことがあった。そのため、途中で排水管５６自身の巻き癖や施工の不手際などにより、横引き配管部５６ａにおいて排水勾配がとれていない箇所が存在する虞があった。
【０００６】
また、鞘管内に排水管５６を配管した場合には、鞘管自体を排水勾配をとって配管固定しても、鞘管内で排水管５６が蛇行状態となって排水管５６の排水勾配がとれていないときにも、その勾配を目視で確認することができなかった。ここにおいて、排水管５６の蛇行状態からなる排水勾配不良を無視できるまでに鞘管の勾配を大きくすることも考えられるものの、この場合には十分な配管スペースを必要とし広く採用できるものではなかった。
【０００７】
この発明は、上記した従来の欠点を解決するためになされたものであり、その目的とするところは、自然排水の排水勾配を容易に確保することができる、排水管固定具および排水配管構造を提供することにある。
【課題を解決するための手段】
【０００８】
この発明に係る排水管固定具および排水配管構造は、前記目的を達成するために、次の構成からなる。すなわち、
請求項１に記載の発明に係る排水管固定具は、自然排水に用いられる可撓性を備えた排水管であって壁の裏側に配管されて前記壁に設けられた貫通孔から引き出される管を、前記貫通孔に対して固定すべく、前記貫通孔に取り付けられる固定具である。この排水管固定具は、前記排水管が通る通孔を有して前記貫通孔を塞ぐ閉塞部材を備える。そして、排水管固定具は、前記壁の裏側において前記排水管が緊張するように、前記排水管をその排水管に沿う、前記壁の表側を向く一方の方向へ引っ張り操作することによる、その一方の方向への前記排水管の移動を許容するとともに、その移動後に前記排水管の戻りを阻止する、規制部材を備える。
【０００９】
これにより、壁の裏側において排水管に自然排水を阻害する勾配不良があったとしても、排水管をその排水管に沿って壁の表側を向く一方の方向へ引っ張って、排水管を緊張させることで、その勾配不良が解消する。そして、規制部材は、前記一方の方向への排水管の移動を許容するが、移動後の排水管の戻りを阻止するため、壁の裏側での排水管の緊張は保持され、その排水管における自然排水の排水勾配は確保される。
【００１０】
また、請求項２に記載の発明に係る排水管固定具は、請求項１に記載の排水管固定具において、前記壁は、ユニットバスの壁からなる。そして、前記排水管は、前記自然排水の上流側が、前記ユニットバスの外側に装備してある付設装置に接続され、その付設装置において生じた不用水を前記貫通孔を通って前記壁の表側となる前記ユニットバスの内側に排水するための管である。
【００１１】
また、請求項３に記載の発明に係る排水管固定具は、請求項１または２に記載の排水管固定具において、前記規制部材は、前記排水管の外周面に向かうに連れて前記一方の方向に進むように傾斜して前記排水管の外周面に係合する突刺片を有して、前記一方の方向への前記排水管の移動を許容するとともに、その移動後に前記排水管の戻りを阻止する。こうして、規制部材が傾斜する突刺片を有することで、その突刺片が自動的に、一方の方向への排水管の移動を許容し、かつ、排水管の戻りを阻止する。
【００１２】
また、請求項４に記載の発明に係る排水管固定具は、請求項１または２に記載の排水管固定具において、前記規制部材は、前記閉塞部材とは別体で構成され、前記排水管の外周面を圧接するようにして前記排水管に取り付け固定される圧接具からなる。そして、前記閉塞部材には、前記圧接具が前記排水管とともに前記一方の方向とは反対の他方の方向に移動するのを防止するよう前記圧接具と対向する移動防止部が設けられる。そこで、前記圧接具が前記排水管に固定されない状態で、前記一方の方向への前記排水管の移動を許容するとともに、その移動後に前記圧接具が前記移動防止部と対向するように前記排水管に取り付け固定されて前記排水管の戻りを阻止する。
【００１３】
また、請求項５に記載の発明に係る排水管固定具は、請求項４に記載の排水管固定具において、前記閉塞部材には、前記排水管に取り付け固定された前記圧接具が前記排水管とともに前記一方の方向に移動するのを防止するよう前記圧接具と対向する他の移動防止部が設けられる。
【００１４】
また、請求項６に記載の発明に係る排水管固定具は、請求項１ないし５のいずれか１項に記載の排水管固定具において、少なくとも前記壁の裏側に配備されるボックス体を備える。そして、前記ボックス体は、前記壁の裏側にて前記排水管が引き込まれる引込口を備える。そこで、前記引込口には、前記排水管が挿入されるところの鞘管が接続される鞘管接続部が設けられる。
【００１５】
また、請求項７に記載の発明に係る排水管固定具は、請求項１ないし６のいずれか１項に記載の排水管固定具において、前記閉塞部材には、その閉塞部材を前記壁の表側から覆うように化粧カバーが着脱可能に取り付けられる。
【００１６】
また、請求項８に記載の発明に係る排水配管構造は、一部または全部が横引き配管されて自然排水に用いられる可撓性を備えた管体の横引き配管部の勾配不良を矯正するためのものである。この排水配管構造は、前記管体における、前記横引き配管部の一方の端部、または、前記横引き配管部の一方の端部からその横引き配管部側とは反対の、前記管体の端部までの部分に、前記管体の少なくとも前記横引き配管部が緊張するように前記管体をその管体に沿う一方の方向へ引っ張り操作することによる、その一方の方向への前記管体の移動を許容するとともに、その移動後に前記管体の戻りを阻止する、規制部材を備える。
【００１７】
これにより、管体の横引き配管部に自然排水を阻害する勾配不良があったとしても、管体をその管体に沿う一方の方向へ引っ張って、横引き配管部を緊張させることで、その勾配不良が解消する。そして、規制部材は、前記一方の方向への管体の移動を許容するが、移動後の管体の戻りを阻止するため、横引き配管部の緊張は保持され、その横引き配管部における自然排水の排水勾配は確保される。
【００１８】
また、請求項９に記載の発明に係る排水配管構造は、一部または全部が横引き配管されて自然排水に用いられる可撓性を備えた管体の横引き配管部の勾配不良を矯正するためのものである。この排水配管構造は、前記管体が、前記横引き配管部を有するよう一部または全部が横引き配管された鞘管内に配管されて、前記自然排水の下流側が前記鞘管から引き出され、その引き出される部分またはその引き出される部分よりも先の部分に、前記管体の少なくとも前記横引き配管部が緊張するように前記管体をその管体に沿う一方の方向へ引っ張り操作することによる、その一方の方向への前記管体の移動を許容するとともに、その移動後に前記管体の戻りを阻止する、規制部材を備える。
【００１９】
これにより、管体の横引き配管部に自然排水を阻害する勾配不良があったとしても、管体をその管体に沿う一方の方向へ引っ張って、横引き配管部を緊張させることで、その勾配不良が解消する。そして、規制部材は、前記一方の方向への管体の移動を許容するが、移動後の管体の戻りを阻止するため、横引き配管部の緊張は保持され、その横引き配管部における自然排水の排水勾配は確保される。
【００２０】
また、請求項１０に記載の発明に係る排水配管構造は、一部または全部が横引き配管されて自然排水に用いられる可撓性を備えた管体の横引き配管部の勾配不良を矯正するためのものである。この排水配管構造は、前記管体が、建造物もしくは構造物の壁の裏側に前記横引き配管部を有するよう配管されて、前記自然排水の下流側が前記壁に設けられた貫通孔から引き出され、その引き出される部分に、前記管体の少なくとも前記横引き配管部が緊張するように前記管体をその管体に沿う一方の方向へ引っ張り操作することによる、その一方の方向への前記管体の移動を許容するとともに、その移動後に前記管体の戻りを阻止する、規制部材を備える。
【００２１】
これにより、管体の横引き配管部に自然排水を阻害する勾配不良があったとしても、管体をその管体に沿う一方の方向へ引っ張って、横引き配管部を緊張させることで、その勾配不良が解消する。そして、規制部材は、前記一方の方向への管体の移動を許容するが、移動後の管体の戻りを阻止するため、横引き配管部の緊張は保持され、その横引き配管部における自然排水の排水勾配は確保される。
【発明の効果】
【００２２】
この発明に係る排水管固定具によれば、規制部材によって壁の裏側での排水管の緊張を保持することができ、これによって、その排水管における自然排水の排水勾配を容易に確保することができる。
【００２３】
また、この発明に係る排水配管構造によれば、規制部材によって横引き配管部の緊張を保持することができ、これによって、その横引き配管部における自然排水の排水勾配を容易に確保することができる。
【発明を実施するための最良の形態】
【００２４】
以下、この発明に係る排水管固定具および排水配管構造を実施するための最良の形態を図面に基づいて説明する。
【００２５】
図１〜図１１は、本発明の第一の実施の形態を示す。図中符号１は、ユニットバス等の浴室である。２は、浴室１の外側に装備してある付設装置としてのミストサウナ装置であって、浴室１内をミストサウナ空間とするために、浴室１の天井壁に配備される。３は、建造物もしくは構造物の壁（立壁とか天井壁等）であって、例えば、浴室１の壁である。３ａは、前記壁３（詳細には立壁）に設けられた貫通孔であって、例えば、浴室１内の浴槽１ｂがある側に設けられている。４は、自然排水に用いられる可撓性を備えた管体、特に、一部または全部が横引き配管されて自然排水に用いられる可撓性を備えた管体である。Ｓは、前記管体４の横引き配管部４ｂの勾配不良を矯正するための、排水配管構造である。５は、前記排水配管構造Ｓに用いられる管体固定具としての排水管固定具である。
【００２６】
ここで、排水配管構造Ｓは、管体４における、前記横引き配管部４ｂの一方の端部、または、前記横引き配管部４ｂの一方の端部からその横引き配管部４ｂ側とは反対の、管体４の端部までの部分に、管体４の少なくとも前記横引き配管部４ｂが緊張するように管体４をその管体４に沿う一方の方向Ｐへ引っ張り操作することによる、その一方の方向Ｐへの管体４の移動を許容するとともに、その移動後に管体４の戻りを阻止する、規制部材Ｌを備える。すなわち、規制部材Ｌは、管体４の戻りを阻止すべく、管体４に係合し、管体４とともに戻る方向（前記一方の方向Ｐとは反対の他方の方向Ｑ）へ移動しないように、壁、鞘管、柱等の支持体に、直接あるいは間接的に、支持される（固定されたり当接したりする）。
【００２７】
詳細には、前記管体４は、排水管４０１からなる。この排水管４０１は、前記ミストサウナ装置２に接続され、そのミストサウナ装置２において生じた不用水を前記貫通孔３ａを通って壁３の表側となる浴室１の内側に排水するための管である。この排水管４０１は、壁３の裏側に前記横引き配管部４ｂを有するよう配管されて、自然排水の下流側が前記貫通孔３ａから引き出される。そして、その排水管４０１が貫通孔３ａから引き出される部分（貫通孔３ａ内の部分とか、貫通孔３ａ付近であって壁３の表側や裏側の部分）に、前記規制部材Ｌが設けられる。また、排水管４０１は、壁３の裏側では、前記横引き配管部４ｂを有するよう一部または全部が横引き配管された鞘管１１内に配管されて、自然排水の下流側が、鞘管１１から引き出され、さらに前記貫通孔３ａから引き出される。そして、前記規制部材Ｌは、排水管４０１が鞘管１１から引き出される部分（排水管４０１が引き出される鞘管１１の端部付近の、その端部から突出した部分とか鞘管１１内の部分）またはその引き出される部分よりも先の部分（図示実施の形態においては、鞘管１１から引き出される部分よりも先の部分）に設けられる。そこで、この規制部材Ｌが、壁３の裏側において排水管４０１が緊張するように、排水管４０１をその排水管４０１に沿う、壁３の表側を向く一方の方向Ｐへ引っ張り操作することによる、その一方の方向Ｐへの排水管４０１の移動を許容するとともに、その移動後に排水管４０１の戻りを阻止する。
【００２８】
排水管固定具５は、前記排水管４０１を、前記貫通孔３ａに対して固定すべく、その貫通孔３ａに取り付けられる。そして、排水管固定具５は、排水管４０１が通る通孔８ｂを有して前記貫通孔３ａを塞ぐ閉塞部材８と、前記規制部材Ｌとを備える。
【００２９】
具体的には、排水管４０１は、例えば、架橋ポリエチレン管やポリブデン管等の合成樹脂製の管からなる。
【００３０】
排水管固定具５は、少なくとも、前記壁３の裏側に配備されるボックス体６と、固定部材７と、前記閉塞部材８と、前記規制部材Ｌとしての止め具１７と、同じく前記規制部材Ｌとしての圧接具２１とを備えている。ボックス体６は、前記壁３の裏側にて排水管４０１が引き込まれる引込口６ａと、前記壁３に形成された貫通孔３ａから壁３の表側（図示実施の形態においては、浴室１内）に臨む開口６ｂとを備える。そして、この開口６ｂは、引き込まれた排水管４０１を壁３の表側に引き出すための開口となっている。固定部材７は、壁３の裏側において造営材の被固定部（図示実施の形態においては、壁３の裏面３ｂ）に固定される固定部７ａと、ボックス体６を支持する支持部７ｂとを備える。そして、支持部７ｂは、ボックス体６を壁３に沿う方向に回動可能に支持する。閉塞部材８は、壁３の表側から前記開口６ｂを含めて貫通孔３ａを塞ぐものである。このとき、閉塞部材８は、開口６ｂに係合し、この閉塞部材８を回動することで、ボックス体６の回動を操作できるようになっている。
【００３１】
詳細には、ボックス体６は、内部を排水管４０１が通るように中空筒状に形成された本体部９と、その本体部９から円形鍔状に張り出した張出部１０とからなる。そして、本体部９における一端側に、前記引込口６ａが設けられ、他端側に、前記開口６ｂが設けられる。ここにおいて、引込口６ａには、排水管４０１が挿入されるところの鞘管１１が接続される鞘管接続部６ｄが設けられている。また、ボックス体６（詳細には、本体部９）の開口６ｂは、貫通孔３ａを通って壁３の裏側から表側に渡るように突出形成されて、その突出側から見て縦長形状をしている。また、張出部１０は、開口６ｂの基端に設けられて、外縁側が、貫通孔３ａの周縁部裏面に対向位置し、その内側には、貫通孔３ａに係合するように若干突出して形成された凸段部１０ａが設けられている（図２、図５参照）。
【００３２】
固定部材７は、例えば、略コの字もしくはＣの字に形成されている。そこで、固定部材７は、そのほぼ全体が、板状に形成されて、前記固定部７ａとなる。そして、この固定部７ａに、固定用のビス１２が挿入される固定孔（図示せず）が明けられている。また、固定部材７は、その内周側が、円弧状に形成されて、前記支持部７ｂとなる。この支持部７ｂは、ボックス体６における張出部１０を支持するよう、張出部１０の外周面と対向する第１支持部７ｄと、張出部１０の後面（つまり、壁３とは反対側の面）と対向する第２支持部７ｅと、張出部１０の前面（詳細には、一段下がるように壁３側の面に形成された凹段部１０ｂ）と対向する第３支持部７ｆとからなる（図２、図５参照）。
【００３３】
こうして、固定部材７がボックス体６を支持することで、ボックス体６は、壁３に沿う方向に回動可能となる。ここにおいて、固定部材７には、ボックス体６の回動を所定範囲に制限する制限部７ｇが設けられている。図示実施の形態においては、ボックス体６における本体部９は、固定部材７のコの字もしくはＣの字の開口部７ｈ（図示実施の形態においては、上下方向に開口する開口部７ｈ）を通って、コの字もしくはＣの字の内外に渡って延びており、このコの字もしくはＣの字の、開口部７ｈに面する端面が、本体部９と対向することで前記制限部７ｇとなっている（図４参照）。
【００３４】
閉塞部材８は、排水管４０１を所要の方向（図示実施の形態においては、斜め下方）に導く案内部材ともなっている。この閉塞部材８は、第１部材１３と第２部材１４とからなり、これら第１部材１３と第２部材１４とがビス１５により互いに連結されている。
【００３５】
第１部材１３は、ボックス体６の開口６ｂに嵌合するようにして係合する係合部１３ａと、その係合部１３ａの内側に形成されて排水管４０１が通る筒部１３ｂと、係合部１３ａから鍔状に張り出した張出部１３ｃとからなる。ここで、筒部１３ｂの内側は、口元側（前側）が径大に形成された径大部１３ｄとなっている。そして、この径大部１３ｄは、奥側の第１径大部Ｘ１と、先端側（前端側）の一層径大となった第２径大部Ｘ２とからなり、第１径大部Ｘ１に、排水管４０１との間を止水する止水部材としての第１パッキン１６が挿入され、第２径大部Ｘ２に、規制部材Ｌとしての止め具１７が挿入される。また、張出部１３ｃは、その外縁部が、ボックス体６とで壁３を挟持する挟持部８ａとなって、貫通孔３ａの周縁部前面と対向位置する。そして、この挟持部８ａには、貫通孔３ａの周縁部との間を止水する止水部材としての第２パッキン１８が設けられる。
【００３６】
第２部材１４は、排水管４０１が通されるように筒形状に形成されている。そして、第２部材１４は、その後端部分が第１部材１３の径大部１３ｄ（詳細には、第２径大部Ｘ２）に挿入されるようにして、第１部材１３に組み付けられて、止め具１７および第１パッキン１６を抜け止めする。そして、この第２部材１４と、前記第１部材１３における筒部１３ｂとで、通管筒体５ａが形成され、この通管筒体５ａの内側が、排水管４０１が通る前記通孔８ｂとなっている。そこで、通管筒体５ａ（詳細には、第２部材１４）には、中途に切欠開口１４ｅが設けられる。詳細には、前記切欠開口１４ｅは、第２部材１４（通管筒体５ａ）の前端側に、端部１４ｃとの繋ぎ部１４ｄ、１４ｄを残して切り欠き形成されている。
【００３７】
止め具１７は、図７、図９および図１０に示すように、排水管４０１の外周面に向かうに連れて前記一方の方向Ｐに進むように傾斜してその排水管４０１の外周面に係合する突刺片１７ａを有して、前記一方の方向Ｐへの排水管４０１の移動を許容するとともに、その移動後に排水管４０１の戻りを阻止する。詳細には、止め具１７は、閉塞部材８とは別体で構成されている。この止め具１７は、鋼板等の板材から形成されて、リング状の止め具本体１７ｂと、その止め具本体１７ｂの内周から突設された複数の前記突刺片１７ａ、１７ａとからなる。そこで、排水管４０１は、この止め具１７の内側を、突刺片１７ａの傾斜側を向く前記一方の方向Ｐへ進むことはできるが、その反対の方向となる他方の方向Ｑへ進もうとすると、突刺片１７ａが起立ぎみとなって排水管４０１の外周面に刺さり、その他方の方向Ｑへの移動、つまり戻りが阻止される。すなわち、止め具１７が、傾斜する突刺片１７ａを有することで、その突刺片７ａが自動的に、前記一方の方向Ｐへの排水管４０１の移動を許容し、かつ、排水管４０１の戻り（前記他方の方向Ｑへの移動）を阻止する。
【００３８】
圧接具２１は、閉塞部材８とは別体で構成され、排水管４０１の外周面を圧接するようにして排水管４０１に取り付け固定される。詳細には、圧接具２１は、図８および図１１に示すように、Ｃ字形状から縮径によりリング状となって排水管４０１の外周面（図示実施の形態においては、排水管４０１の外周面および前記繋ぎ部１４ｄ）を圧接するように形成されている。
【００３９】
この圧接具２１は、例えば合成樹脂製であって、弾性を備えている。そして、圧接具２１は、Ｃ字形状の一方の端部が厚肉に形成された第１厚肉部２１ａとなって、その第１厚肉部２１ａの外周面には、鋸状の第１係合部２１ｂが形成されている。そして、圧接具２１の一方の端部には、前記第１厚肉部２１ａの基端から突出して、その第１厚肉部２１ａと対向するように延びる延設片２１ｃが設けられている。また、圧接具２１は、Ｃ字形状の他方の端部が薄肉に形成された薄肉部２１ｄとなっている。そして、圧接具２１の他方の端部には、前記薄肉部２１ｄの基端から突出して、その薄肉部２１ｄと対向するようにして厚肉となって延びる第２厚肉部２１ｅが設けられ、その第２厚肉部２１ｅの内周面には、鋸状の第２係合部２１ｆが形成されている。そこで、この圧接具２１が縮径した際には、一方の端部の第１厚肉部２１ａが、他方の端部の薄肉部２１ｄと第２厚肉部２１ｅとの間に進入するとともに、第２厚肉部２１ｅが第１厚肉部２１ａと延設片２１ｃとの間に進入するようにして、第１係合部２１ｂと第２係合部２１ｆとが互いに掛かり合う。
【００４０】
その一方で、閉塞部材８には、圧接具２１が排水管４０１とともに前記一方の方向Ｐとは反対の他方の方向Ｑに移動するのを防止するよう圧接具２１と対向する移動防止部２２が設けられている。そこで、圧接具２１が排水管４０１に固定されない状態で、前記一方の方向Ｐへの排水管４０１の移動を許容するとともに、その移動後に圧接具２１が前記移動防止部２２と対向するように排水管４０１に取り付け固定されて排水管４０１の戻りを阻止する。また、この閉塞部材８には、排水管４０１に取り付け固定された圧接具２１が排水管４０１とともに前記一方の方向Ｐに移動するのを防止するよう圧接具２１と対向する他の移動防止部２３が設けられている。図示実施の形態においては、前記他の方向Ｑ側に位置する、切欠開口１４ｅの内面が、圧接具２１の一方の側面に対向して、前記移動防止部２２となる。そして、前記一方の方向Ｐ側に位置する、切欠開口１４ｅの内面が、圧接具２１の他方の側面に対向して、前記他の移動防止部２３となる。
【００４１】
ところで、前記通管筒体５ａを備えた閉塞部材８は、第１部材１３の張出部１３ｃに明けられた孔１３ｅを通ってボックス体６の凸段部１０ａの後方に設けられたナット１０ｃにねじ込まれるビス１９、１９により、ボックス体６に取り付けられる。そして、この取り付けによって、挟持部８ａがボックス体６（詳細には、ボックス体６の張出部１０）とで壁３を挟持する。もっとも、図示実施の形態においては、挟持部８ａと壁３との間には、第２パッキン１８が設けられているため、壁３を挟持するにあたっては、この第２パッキン１８を介すこととなる。
【００４２】
そして、図２に示すように、上方から、引込口６ａを通ってボックス体６内に進入した排水管４０１は、案内部材ともなる閉塞部材８（詳細には、通管筒体５ａ）により斜め下方に導かれるとともに、先端部分が所要の位置に配備されるように、閉塞部材８（詳細には、通管筒体５ａ）から引き出される。図示実施の形態においては、排水管４０１は、閉塞部材８から引き出されて、先端部分が浴槽１ｂ下部の排水口１ｃ付近に位置している（図１参照）。そして、排水管４０１の外周面の、前記切欠開口１４ｅと対応位置する露出部４ａ（詳細には、露出部４ａおよび通管筒体５ａの繋ぎ部１４ｄ）が、圧接具２１で締め付けられて、排水管４０１は、閉塞部材８、つまりは排水管固定具５に対して固定される。こうして、排水管４０１が配設されることで、ミストサウナ装置２からの不用水は、排水管４０１を通って降下し、浴室１内の浴槽１ｂ下部に排出され、排水口１ｃを通って外部に排水される。
【００４３】
次に、以上の構成からなる排水配管構造Ｓおよび排水管固定具５の作用効果について説明する。この排水管固定具５を壁３に取り付けるには、壁３の裏側、つまり浴室１の外側から、固定部材７の支持部７ｂが、ボックス体６を壁３に沿う方向に回動可能に支持するようにして、固定部材７の固定部７ａを、造営材の被固定部（図示実施の形態においては、壁３の裏面３ｂ）にビス１２、１２を用いて固定する。そして、排水管４０１を、ボックス体６内に引込口６ａから引き込み、開口６ｂから引き出す。次いで、排水管４０１の先端部分を閉塞部材８の通孔８ｂに挿入するようにして閉塞部材８を排水管４０１に取り付け、その閉塞部材８（詳細には、係合部１３ａ）をボックス体６の開口６ｂに係合させる。
【００４４】
その後、必要に応じて、すなわちボックス体６の向きがずれている場合には、浴室１の内側（壁３の表側）から、閉塞部材８を操作（詳細には、回動操作）することで、ボックス体６を壁３に沿う方向に回動させてその向きを調節する。
【００４５】
次いで、閉塞部材８をボックス体６に、ビス１９、１９を用いて取り付け固定する。このように、閉塞部材８をボックス体６に取り付けることで、ボックス体６の張出部１０と閉塞部材８の挟持部８ａとで壁３を挟持し、これによって、ボックス体６と閉塞部材８とが壁３に固定されて、ボックス体６の回動が止められる。その後、排水管４０１を、壁３の貫通孔３ａから引き出す側となる前記一方の方向Ｐに引っ張り、圧接具２１を排水管４０１の露出部４ａ（詳細には、露出部４ａおよび通管筒体５ａの繋ぎ部１４ｄ）に取り付け、こうして、排水管４０１の配管作業が完了する。
【００４６】
この排水配管構造Ｓとか排水管固定具５によると、壁３の裏側において、排水管４０１（特に、排水管４０１の横引き配管部４ｂ）に自然排水を阻害する勾配不良があったとしても、排水管４０１をその排水管４０１に沿って壁３の表側を向く一方の方向Ｐへ引っ張って、排水管４０１（特に、横引き配管部４ｂ）を緊張させることで、その勾配不良が解消する。そして、規制部材Ｌ（止め具１７とか圧接具２１）は、前記一方の方向Ｐへの排水管４０１の移動を許容するが、移動後の排水管４０１の戻りを阻止するため、この規制部材Ｌ（止め具１７とか圧接具２１）によって、壁３の裏側での排水管４０１（特に、横引き配管部４ｂ）の緊張を保持することができ、その排水管４０１（特に、横引き配管部４ｂ）における自然排水の排水勾配を容易に確保することができる。
【００４７】
図１２〜図１５は、本発明の第二の実施の形態を示す。この実施の形態における排水配管構造Ｓおよび排水管固定具５は、第一の実施の形態とは、壁３における貫通孔３ａの位置、および、閉塞部材８における第２部材１４の形状が異なり、圧接具２１は使用されないが、他はほぼ同様であり、以下に、同様の機能を有する部位には同一の符号を付して、異なる部分を主に説明する。
【００４８】
貫通孔３ａは、浴室１の洗い場におけるカウンター１ａの下に設けられている。また、閉塞部材８における第２部材１４は、管体４としての排水管４０１が挿入されるように筒形状に形成されている。そして、この第２部材１４と、第１部材１３の筒部１３ｂとで、通管筒体５ａが形成され、この通管筒体５ａの内側が、排水管４０１が通る通孔８ｂとなる。この第２部材１４は、前端部に、前壁１４ａを有し、その前壁１４ａの後側には、下方に開口する開口部１４ｂが設けられている。そして、第２部材１４は、その後端部分が第１部材１３の径大部１３ｄ（詳細には、第２径大部Ｘ２）に挿入されるようにして、第１部材１３に組み付けられて、止め具１７および第１パッキン１６を抜け止めする。
【００４９】
また、閉塞部材８には、その閉塞部材８を壁３の表側から覆うように化粧カバー２０が着脱可能に取り付けられる。そして、この化粧カバー２０の下面には、第２部材１４の開口部１４ｂと連通するように、開口部２０ａが設けられている。このようにして、排水管固定具５は構成されて、上方から、引込口６ａを通ってボックス体６内に進入した排水管４０１は、案内部材ともなる閉塞部材８により斜め下方に導かれる。そして、排水管４０１の先端部開口が、閉塞部材８（詳細には、通孔８ｂ）内に位置して、閉塞部材８の開口部１４ｂおよび化粧カバー２０の開口部２０ａを通して外部に臨んでいる。そこで、ミストサウナ装置２からの不用水は、排水管４０１を通って降下し、閉塞部材８の開口部１４ｂおよび化粧カバー２０の開口部２０ａを通って壁３の表側となる浴室１内に排出される。図示実施の形態においては、排水管固定具５が取り付けられる貫通孔３ａは、浴室１の洗い場におけるカウンター１ａの下に設けられており、ミストサウナ装置２からの不用水は、このカウンター１ａの下に排出されることとなる。
【００５０】
そして、この排水配管構造Ｓおよび排水管固定具５の作用効果は、第一の実施の形態と同様であるが、一部、ボックス体６への閉塞部材８の取り付け手順が異なる。すなわち、ボックス体６内に引き込まれて開口６ｂから引き出された排水管４０１に対して、その排水管４０１の先端部分を第１部材１３の筒部１３ｂに挿入するようにして第１部材１３を排水管４０１に取り付け、その第１部材１３（詳細には、係合部１３ａ）をボックス体６の開口６ｂに係合させる。
【００５１】
その後、必要に応じて、すなわちボックス体６の向きがずれている場合には、浴室１の内側（壁３の表側）から、第１部材１３を操作（詳細には、回動操作）することで、ボックス体６を壁３に沿う方向に回動させてその向きを調節する。
次に、第１部材１３をボックス体６に、ビス１９、１９を用いて取り付け固定する。このように、第１部材１３をボックス体６に取り付けることで、ボックス体６の張出部１０と第１部材１３の挟持部８ａとで壁３を挟持し、これによって、ボックス体６と第１部材１３とが壁３に固定されて、ボックス体６の回動が止められる。その後、排水管４０１を、貫通孔３ａから引き出す側となる一方の方向Ｐに引っ張ったまま、第１パッキン１６および止め具１７を排水管４０１に嵌めるとともに第１部材１３の径大部１３ｄに押し込む。そして、排水管４０１の、第１部材１３からの突出長さが所定の長さとなるよう、その排水管４０１を切断する。次いで、第２部材１４を、排水管４０１の先端部分に嵌めるようにして、第１部材１３に組み付け、その第１部材１３に、ビス１５を用いて取り付け固定する。その後、第１部材１３と第２部材１４とで構成される閉塞部材８に化粧カバー２０を取り付け、排水管４０１の配管作業が完了する。
【００５２】
なお、本発明は、上述した実施の形態に限定されるわけではなく、その他種々の変更が可能である。例えば、固定部材７の固定部７ａが固定される造営材は、壁３でなくとも、柱とか胴縁等であってもよい。
【００５３】
また、管体４としての排水管４０１は、ミストサウナ装置２に接続された排水管であったが、広く空調機器等に接続された排水管とか、その他の排水管であってもよい。
【００５４】
また、排水管固定具５（詳細には、ボックス体６）の上部に引込口６ａが設けられて、排水管４０１（管体４）は、上方から引込口６ａに引き込まれるが、引込口６ａの位置を変えて、下方とか左右方向等の他の方向から引き込まれるようにしてもよい。
【００５５】
また、第一の実施の形態において、圧接具２１は、排水管４０１の外周面に加えて、通管筒体５ａにおける繋ぎ部１４ｄを圧接しているが、図１６および図１７に示すように、排水管４０１の外周面の全周を圧接してもよい。すなわち、繋ぎ部１４ｄは、排水管４０１に当接あるいは近接するように設けられるのではなく、排水管４０１との間に空隙１４ｆを設けるように高い位置に設けられて、圧接具２１が、繋ぎ部１４ｄをくぐるようにして、排水管４０１の外周面における露出部４ａに取り付け固定されてもよい。
【００５６】
また、第一の実施の形態において、閉塞部材８の通管筒体５ａには、移動防止部２２に加えて、他の移動防止部２３が設けられているが、他の移動防止部２３は無くともよい。
【００５７】
また、第一の実施の形態においては、規制部材Ｌとして、止め具１７と圧接具２１が設けられるが、これら止め具１７と圧接具２１のいずれか一方は無くともよい。
【図面の簡単な説明】
【００５８】
【図１】この発明の第一の実施の形態の、全体を示す側断面図である。
【図２】同じく、要部側断面図である。
【図３】同じく、一部を破断した要部側断面図である。
【図４】同じく、要部背面図である。
【図５】同じく、図４におけるＡ−Ａ線による拡大断面図である。
【図６】同じく、要部正面図である。
【図７】同じく、図２における要部拡大側断面図である。
【図８】同じく、図３におけるＢ−Ｂ線による拡大断面図である。
【図９】同じく、止め具の拡大平面図である。
【図１０】同じく、図９におけるＣ−Ｃ線による拡大断面図である。
【図１１】同じく、圧接具の拡大正面図である。
【図１２】この発明の第二の実施の形態の、全体を示す側断面図である。
【図１３】同じく、要部側断面図である。
【図１４】同じく、一部を破断した要部側断面図である。
【図１５】同じく、要部正面図である。
【図１６】この発明の他の実施の形態の、図３相当図である。
【図１７】同じく、図１６におけるＤ−Ｄ線による拡大断面図である。
【図１８】従来のユニットバスを示す断面図である。
【符号の説明】
【００５９】
２  ミストサウナ装置（付設装置）
３  壁
３ａ  貫通孔
４  管体
４０１  排水管（管体）
４ｂ  横引き配管部
５  排水管固定具
６  ボックス体
６ａ  引込口
６ｄ  鞘管接続部
８  閉塞部材
８ｂ  通孔
１１  鞘管
１７  止め具（規制部材）
１７ａ  突刺片
２０  化粧カバー
２１  圧接具（規制部材）
２２  移動防止部
２３  他の移動防止部
Ｌ  規制部材
Ｐ  一方の方向
Ｑ  他方の方向
Ｓ  排水配管構造
【図１】
0005485509.tif 000002
【図２】
0005485509.tif 000003
【図３】
0005485509.tif 000004
【図４】
0005485509.tif 000005
【図５】
0005485509.tif 000006
【図６】
0005485509.tif 000007
【図７】
0005485509.tif 000008
【図８】
0005485509.tif 000009
【図９】
0005485509.tif 000010
【図１０】
0005485509.tif 000011
【図１１】
0005485509.tif 000012
【図１２】
0005485509.tif 000013
【図１３】
0005485509.tif 000014
【図１４】
0005485509.tif 000015
【図１５】
0005485509.tif 000016
【図１６】
0005485509.tif 000017
【図１７】
0005485509.tif 000018
【図１８】
0005485509.tif 000019